(57)【要約】      （修正有）【課題】塗布ブラシの先端に付着する余分な塗布液をしごき落とすことが可能で、かつしごき部材に残る塗布液の漏れを防止する。【解決手段】しごき部材１３ａ、１３ｂは、塗布ブラシ３０を塗布液に浸して塗布液容器から外部に取り出すときに塗布ブラシ３０に付着した余分な塗布液をしごき落とすしごき部１３ｂを有し、塗布ブラシ３０は、芯材に多数のブラシ毛材３２を放射方向に外方に延長するように植毛された構成であり、芯材３１に、しごき部１３ｂをしごきにより反転させる引掛け部を設けた。【選択図】図１２
2019150341.tif 000002
【特許請求の範囲】
【請求項１】
円筒状のしごき部材を開口部に有し、塗布液を収容する塗布液容器と、
塗布液を塗布するための塗布ブラシを有する容器キャップと、を含み、
前記しごき部材は、
前記塗布ブラシを塗布液に浸して前記塗布液容器から外部に取り出すときに前記塗布ブラシに付着した余分な塗布液をしごき落とすしごき部を有し、
前記塗布ブラシは、
芯材に多数のブラシ毛材を放射方向に外方に延長するように植毛された構成であり、
前記芯材に、前記しごき部をしごきにより反転させる引掛け部を設けたことを特徴とする液塗布具。
【請求項２】
前記しごき部は、しごきによる反転を促進させる薄肉部または曲げ部を有することを特徴とする請求項１に記載の液塗布具。
【請求項３】
前記塗布ブラシは、
前記芯材の先端を折り返して前記引掛け部としたことを特徴とする請求項１または請求項２に記載の液塗布具。
【請求項４】
前記塗布ブラシは、
前記芯材の先端を折り返して巻き付けて前記引掛け部としたことを特徴とする請求項１または請求項２に記載の液塗布具。
【請求項５】
前記塗布ブラシは、
前記芯材を基部まで折り返し、
前記芯材の先端、途中、基部の少なくともいずれかに、前記芯材を曲げて広がり部を設け、
前記広がり部を前記引掛け部としたことを特徴とする請求項１または請求項２に記載の液塗布具。
【請求項６】
前記塗布ブラシは、
複数本の芯材に多数のブラシ毛材を放射方向に外方に延長するように植毛された構成であり、
前記複数本の芯材は、
前記芯材の先端、途中、基部の少なくともいずれかに、前記芯材を曲げて広がり部を設け、
前記広がり部を前記引掛け部としたことを特徴とする請求項１または請求項２に記載の液塗布具。
【発明の詳細な説明】
【技術分野】
【０００１】
この発明は、液塗布具に関し、特にマスカラブラシや毛染め用ブラシのように塗布対象毛にマスカラや毛染め液などの塗布液を塗布する場合に適用して好適なものである。
【背景技術】
【０００２】
従来この種の塗布ブラシとして、例えばマスカラブラシがある。マスカラブラシは、特許文献１に開示されているように、ブラシに付着させたマスカラを、まつ毛に塗布するものが用いられている。
【０００３】
このマスカラブラシＲ１は、図１３に示すように、塗布液容器Ｒ２の開口部Ｒ３から、容器キャップＲ４に固着されたブラシ軸部Ｒ５の先端に設けられたブラシ本体Ｒ６を出し入れすることにより、ブラシ本体Ｒ６を塗布液としてのマスカラに浸して外部に取り出すようになされている。
【０００４】
塗布液容器Ｒ２の開口部Ｒ３の内側には、柔軟性をもったゴム材でなる円筒状のしごき部材Ｒ７が設けられ、ブラシ本体Ｒ６を開口部Ｒ３から引き抜くときに、ブラシ本体Ｒ６のブラシ毛材Ｒ６Ａの周囲に付着している余分な塗布液を、小さい内径孔を有するしごき部材Ｒ７によってしごき落とすことにより、外部に取り出したブラシ本体６やブラシ軸部Ｒ５から塗布液をぼた落ちさせないように構成されている。
【０００５】
また、特許文献２，３に開示されているように、しごきパッキンの上面に付着する塗布液を、塗布ブラシのブラシ軸部に設けた凹凸に含ませ、塗布液が外部に漏出することがないようにしたものがある。
【先行技術文献】
【特許文献】
【０００６】
【特許文献１】特開平５−２２８０１８号公報
【特許文献２】実用新案登録第１９１３０１８号公報
【特許文献３】実用新案登録第１９１３０１９号公報
【発明の概要】
【発明が解決しようとする課題】
【０００７】
このように、ブラシ毛材は、しごき部材を通るとき一旦一斉に倒れるが、しごき部材を通過した後は、その復元力によって起立するので、塗布液は起立したブラシ毛材の周囲に塗布液が付着したまま残り、直接にまつ毛に接触することによりまつ毛にもったりと付着するような濃い塗布状態で塗布できる。
【０００８】
ところで、まつ毛の生え際や、下まつ毛に対する塗布など細部について塗布液を塗布することがあり、このような細部塗布では、塗布ブラシの先端で塗布するが、先端に余分な塗布液が付着しており、塗布ブラシの先端での細部塗布が困難であった。
【０００９】
また、しごきパッキンで適量の塗布液が塗布ブラシ内に残っているものの逆にしごき液が塗布ブラシに加算されていると求める量の塗布液より多くなりダマ束の大小がまつ毛に発生して大変汚い現象となるなどの問題がある。
【００１０】
この発明は、かかる点に鑑みてなされたもので、塗布ブラシの先端に付着する余分な塗布液をしごき落とすことが可能で、かつしごき部材に残る塗布液の漏れを防止することが可能な液塗布具を提供するものである。
【課題を解決するための手段】
【００１１】
前記課題を解決し、かつ目的を達成するために、この発明は、以下のように構成した。
【００１２】
請求項１に記載の発明は、円筒状のしごき部材を開口部に有し、塗布液を収容する塗布液容器と、
塗布液を塗布するための塗布ブラシを有する容器キャップと、を含み、
前記しごき部材は、
前記塗布ブラシを塗布液に浸して前記塗布液容器から外部に取り出すときに前記塗布ブラシに付着した余分な塗布液をしごき落とすしごき部を有し、
前記塗布ブラシは、
芯材に多数のブラシ毛材を放射方向に外方に延長するように植毛された構成であり、
前記芯材に、前記しごき部をしごきにより反転させる引掛け部を設けたことを特徴とする液塗布具である。
【００１３】
請求項２に記載の発明は、前記しごき部は、しごきによる反転を促進させる薄肉部または曲げ部を有することを特徴とする請求項１に記載の液塗布具である。
【００１４】
請求項３に記載の発明は、前記塗布ブラシは、
前記芯材の先端を折り返して前記引掛け部としたことを特徴とする請求項１または請求項２に記載の液塗布具である。
【００１５】
請求項４に記載の発明は、前記塗布ブラシは、
前記芯材の先端を折り返して巻き付けて前記引掛け部としたことを特徴とする請求項１または請求項２に記載の液塗布具である。
【００１６】
請求項５に記載の発明は、前記塗布ブラシは、
前記芯材を基部まで折り返し、
前記芯材の先端、途中、基部の少なくともいずれかに、前記芯材を曲げて広がり部を設け、
前記広がり部を前記引掛け部としたことを特徴とする請求項１または請求項２に記載の液塗布具である。
【００１７】
請求項６に記載の発明は、前記塗布ブラシは、
複数本の芯材に多数のブラシ毛材を放射方向に外方に延長するように植毛された構成であり、
前記複数本の芯材は、
前記芯材の先端、途中、基部の少なくともいずれかに、前記芯材を曲げて広がり部を設け、
前記広がり部を前記引掛け部としたことを特徴とする請求項１または請求項２に記載の液塗布具である。
【発明の効果】
【００１８】
前記構成により、この発明は、以下のような効果を有する。
【００１９】
請求項１乃至請求項６に記載の発明では、しごき部材は、塗布ブラシを塗布液に浸して塗布液容器から外部に取り出すときに塗布ブラシに付着した余分な塗布液をしごき落とすしごき部を有し、塗布ブラシは、芯材に多数のブラシ毛材を放射方向に外方に延長するように植毛された構成であり、芯材に、しごき部をしごきにより反転させる引掛け部を設けたことで、塗布ブラシを塗布液に浸して塗布液容器から外部に取り出すときに、引掛け部はしごき部をしごきにより反転させ、反転したしごき部により塗布ブラシに付着した余分な塗布液をしごき落とし、まつ毛にもったりと付着するような濃い塗布状態で塗布できる。
【００２０】
さらに、引掛け部はしごき部をしごきにより反転させ、引掛け部が通過すると反転したしごき部が元の形状に復帰し、これによりしごき落とした余分な塗布液がしごき部にたまることなく、確実に塗布液容器の内部に戻すことができる。
【００２１】
したがって、しごきで適量の塗布液が塗布ブラシ内に残っているものの逆にしごき液が塗布ブラシに加算されていると求める量の塗布液より多くなりダマ束の大小がまつ毛に発生して大変汚い現象となるなどの問題が解消される。
【図面の簡単な説明】
【００２２】
【図１】第１の実施の形態の液塗布具の断面図である。
【図２】第２の実施の形態の液塗布具の断面図である。
【図３】しごき部材の断面図である。
【図４】他のしごき部材の断面図である。
【図５】塗布ブラシの形態を説明する図である。
【図６】他の塗布ブラシの形態を説明する図である。
【図７】他の塗布ブラシの形態を説明する図である。
【図８】他の塗布ブラシの形態を説明する図である。
【図９】他の塗布ブラシの形態を説明する図である。
【図１０】他の塗布ブラシの形態を説明する図である。
【図１１】他の塗布ブラシの形態を説明する図である。
【図１２】しごき部によるしごきを説明する図である。
【図１３】従来の液塗布具を示す図である。
【発明を実施するための形態】
【００２３】
以下、この発明の液塗布具の実施の形態について説明する。この発明の実施の形態は、発明の最も好ましい形態を示すものであり、この発明はこれに限定されない。
【００２４】
［液塗布具］
液塗布具は、マスカラの液塗布具について説明するが、これに限定されない。特にマスカラブラシや毛染め用ブラシのように塗布対象毛にマスカラや毛染め液などの塗布液を塗布する場合に適用して好適なものである。
【００２５】
（第１の実施の形態）
この実施の形態を、図１に基づいて説明する。図１は液塗布具の断面図である。液塗布具１は、塗布液を収容する塗布液容器１０と、容器キャップ２０と、を含み、容器キャップ２０に塗布ブラシ３０が設けられている。
【００２６】
塗布液容器１０は、その開口部１１にベースリング１２が密着され、このベースリング１２に円筒状のしごき部材１３が設けられている。しごき部材１３は、柔軟性をもったゴム材で成形され、しごき孔１３ａが形成されたしごき部１３ｂを有する。しごき部１３ｂは、塗布ブラシ３０を塗布液に浸して塗布液容器１０から外部に取り出すときに塗布ブラシ３０に付着した余分な塗布液をしごき落とす。ベースリング１２は、開口部１１から突出しており、この突出部１２ａに取付ネジ１４が設けられている。
【００２７】
容器キャップ２０は、開口部２１に取付ネジ２２が設けられ、容器キャップ２０の取付ネジ２２を、塗布液容器１０の取付ネジ１４に螺着することで、容器キャップ２０が塗布液容器１０に着脱自在である。容器キャップ２０の先端には、鍔リング２３が設けられ、螺着時の容器キャップ２０と塗布液容器１０の隙間が外部から見えないようにする。
【００２８】
塗布ブラシ３０は、芯材３１に多数のブラシ毛材３２を放射方向に外方に延長するように植毛された構成である。芯材３１は、直線に延びており、ブラシ毛材３２は、長いブラシ毛材の多量塗布部３２ａと、先細りの少量塗布部３２ｂを有する。塗布ブラシ３０の構成は、この実施の形態に限定されず、種々の公知のものを用いることができる。
【００２９】
塗布ブラシ３０は、芯材３１をブラシシャフト４０に固定する。ブラシシャフト４０は、取付シャフト４１を介して容器キャップ２０に取り付けられている。取付シャフト４１は、容器キャップ２０の開口部２１にパッキン４２を介して支持され、容器キャップ２０を塗布液容器１０に螺着する際の緩衝になる。
【００３０】
塗布ブラシ３０は、芯材３１の先端に、しごき部１３ｂをしごきにより反転させる引掛け部３１ａを設けた構成である。この実施の形態では、芯材３１の先端を折り返して引掛け部３１ａとしている。
【００３１】
この実施の形態の液塗布具１の使用時には、塗布液容器１０から容器キャップ２０を取り外し、塗布ブラシ３０を塗布液に浸して塗布液容器１０から外部に取り出す。このとき、塗布ブラシ３０の引掛け部３１ａは、しごき部１３ｂをしごきにより反転させ、反転したしごき部１３ｂにより塗布ブラシ３０に付着した余分な塗布液をしごき落とし、まつ毛にもったりと付着するような濃い塗布状態で塗布できる。
【００３２】
さらに、塗布ブラシ３０の引掛け部３１ａは、しごき部１３ｂをしごきにより反転させ、引掛け部３１ａが通過すると反転したしごき部１３ｂが元の形状に復帰し、これによりしごき落とした余分な塗布液がしごき部１３ｂにたまることなく、確実に塗布液容器の内部に戻すことができる。
【００３３】
したがって、しごきで適量の塗布液が塗布ブラシ内に残っているものの逆にしごき液が塗布ブラシ３０に加算されていると求める量の塗布液より多くなりダマ束の大小がまつ毛に発生して大変汚い現象となるなどの問題が解消される。
（第２の実施の形態）
この実施の形態を、図２に基づいて説明する。図２は液塗布具の断面図である。液塗布具１は、第１の実施の形態と同様に、塗布液を収容する塗布液容器１０と、容器キャップ２０と、を含み、容器キャップ２０に塗布ブラシ３０が設けられている。
【００３４】
この実施の形態の塗布ブラシ３０は、芯材３１に多数のブラシ毛材３２を放射方向に外方に延長するように植毛された構成であり、芯材３１は、弓線に曲げられた形状であり、芯材３１の先端を折り返して引掛け部３１ａとしている。
（しごき部材の実施の形態）
しごき部材の実施の形態を、図３及び図４に基づいて説明する。図３（ａ）の実施の形態では、しごき部１３ｂは、円筒状部１３ｂ１と、円錐状筒部１３ｂ２が一体に形成され、円錐状筒部１３ｂ２の先端部にしごき孔１３ａが形成されている。
【００３５】
図３（ｂ）の実施の形態では、図３（ａ）の実施の形態と同様に形成されるが、円錐状筒部１３ｂ２の先端部に、平坦部１３ｂ３を形成し、平坦部１３ｂ３にしごき孔１３ａが形成されている。  
【００３６】
図３（ｃ）の実施の形態では、円筒状部１３ｂ１の両端部の外側に、取付鍔部１３ｂ１１，１３ｂ１２が形成され、円筒状部１３ｂ１の中央部に円錐状筒部１３ｂ２が形成され、円錐状筒部１３ｂ２の先端部に、しごき孔１３ａが形成されている。
【００３７】
図３（ｄ）の実施の形態では、図３（ａ）の実施の形態と同様に形成されるが、円筒状部１３ｂ１の端部の内側に、取付鍔部１３ｂ１３が形成され、円錐状筒部１３ｂ２の先端部に、しごき孔１３ａを囲むようにリブ１３ｂ２１が形成されている。
【００３８】
図４（ａ）の実施の形態では、しごき部１３ｂは、しごきによる反転を促進させる薄肉部１３ｃを有する。この薄肉部１３ｃは、しごき孔１３ａを形成する部分をリング状に肉厚１３ｃ１に成形することで、肉厚１３ｃ１の根元に形成される。しごき部１３ｂは、肉厚１３ｃ１によって形成される薄肉部１３ｃによりしごきによる反転がしやすくなり反転が促進される。
【００３９】
図４（ｂ）の実施の形態では、薄肉部１３ｃは、円錐状筒部１３ｂ２にリング状の溝１３ｃ２を成形することで形成される。しごき部１３ｂは、リング状の溝１３ｃ２によって形成される薄肉部１３ｃによりしごきによる反転がしやすくなり反転が促進される。
【００４０】
図４（ｃ）の実施の形態では、しごき部１３ｂは、しごきによる反転を促進させる曲げ部１３ｄを有する。この曲げ部１３ｄは、円錐状筒部１３ｂ２に段差状部を成形することで形成される。しごき部１３ｂは、段差状部によって形成される曲げ部１３ｄによりしごきによる反転がしやすくなり反転が促進される。
（塗布ブラシの実施の形態）
塗布ブラシの実施の形態を、図５乃至図１１に基づいて説明する。図５（ａ）の実施の形態では、塗布ブラシ３０は、芯材３１に多数のブラシ毛材３２を放射方向に外方に延長するように植毛された構成であり、芯材３１は、直線に延びている。
【００４１】
芯材３１の先端を折り返して引掛け部３１ａとしているが、この実施の形態では、引掛け部３１ａは、芯材３１に対して略９０度になるまで芯材３１の先端を折り返している。図５（ｂ）の実施の形態では、引掛け部３１ａは、芯材３１に対して略４５度になるまで芯材３１の先端を折り返している。図５（ｃ）の実施の形態では、引掛け部３１ａは、芯材３１に対して略平行に沿うまで芯材３１の先端を折り返している。図５（ｄ）の実施の形態では、引掛け部３１ａは、芯材３１に当接するまで芯材３１の先端を折り返している。図５（ｅ）の実施の形態では、引掛け部３１ａは、芯材３１に交差するまで芯材３１の先端を折り返している。図５（ｆ）の実施の形態では、引掛け部３１ａは、芯材３１に交差してさらに曲げて先端に延びるまで芯材３１の先端を折り返している。            
【００４２】
図６（ａ）の実施の形態では、芯材３１は、弓線に延びており、芯材３１の先端を折り返して引掛け部３１ａとしているが、この実施の形態では、引掛け部３１ａは、大きく曲げて芯材３１に対して略平行に沿うまで芯材３１の先端を折り返している。
【００４３】
図６（ｂ）の実施の形態では、引掛け部３１ａは、芯材３１に対して略４５度になるまで芯材３１の先端を折り返している。図６（ｃ）の実施の形態では、引掛け部３１ａは、芯材３１に当接するまで芯材３１の先端を折り返している。図６（ｄ）の実施の形態では、引掛け部３１ａは、芯材３１に交差するまで芯材３１の先端を折り返している。図６（ｅ）の実施の形態では、引掛け部３１ａは、芯材３１に交差してさらに曲げて先端に延びるまで芯材３１の先端を折り返している。    
【００４４】
図７（ａ）の実施の形態では、芯材３１は、くの字状に延びており、引掛け部３１ａは、芯材３１に対して略４５度になるまで芯材３１の先端を折り返している。
【００４５】
図７（ｂ）の実施の形態では、引掛け部３１ａは、芯材３１に対して略平行に沿うまで芯材３１の先端を折り返している。
【００４６】
図８（ａ）の実施の形態では、芯材３１は、蛇行した曲線に延びており、引掛け部３１ａは、芯材３１に対して大きく曲げるように芯材３１の先端を折り返している。
【００４７】
図８（ｂ）の実施の形態では、引掛け部３１ａは、芯材３１に対して沿うまで芯材３１の先端を折り返している。
【００４８】
図８（ｃ）の実施の形態では、芯材３１は、緩やかに蛇行した曲線に延びており、引掛け部３１ａは、芯材３１に対して曲げるように芯材３１の先端を折り返している。
【００４９】
図９（ａ）の実施の形態では、芯材３１の先端を小さく曲げて折り返し、芯材３１の先端近傍に巻き付けて引掛け部３１ａとしている。
【００５０】
図９（ｂ）の実施の形態では、芯材３１の先端を中程度に曲げて折り返し、芯材３１の基部近傍まで巻き付けて引掛け部３１ａとしている。
【００５１】
図９（ｃ）の実施の形態では、芯材３１の先端を大きく曲げて折り返し、芯材３１の中間部近傍まで巻き付けて引掛け部３１ａとしている。
【００５２】
図９（ｄ）の実施の形態では、芯材３１の先端を中程度に曲げて折り返し、芯材３１の基部まで巻き付けて引掛け部３１ａとしている。
【００５３】
図１０の実施の形態は、塗布ブラシ３０は、芯材３１を基部まで折り返し、芯材３１の先端、途中、基部の少なくともいずれかに、芯材３１を曲げて広がり部を設け、広がり部を引掛け部３１ａとした構成である。
【００５４】
図１０（ａ）の実施の形態では、芯材３１を３カ所で対抗して曲げて広がり部を設け、図１０（ｂ）の実施の形態では、芯材３１を２カ所で対抗して曲げて広がり部を設け、
図１０（ｃ）の実施の形態では、芯材３１を中央の１カ所で対抗して曲げて広がり部を設け、図１０（ｄ）の実施の形態では、芯材３１を先端の１カ所で対抗して曲げて広がり部を設けている。
【００５５】
図１１の実施の形態は、塗布ブラシ３０は、複数本の芯材３１に多数のブラシ毛材３２を放射方向に外方に延長するように植毛された構成であり、複数本の芯材３１は、芯材３１の先端、途中、基部の少なくともいずれかに、芯材３１を曲げて広がり部を設け、広がり部を引掛け部３１ａとした構成である。
【００５６】
図１１（ａ）の実施の形態では、２本の芯材３１を、それぞれ３カ所で対抗して曲げて広がり部を設け、図１１（ｂ）の実施の形態では、２本の芯材３１を、それぞれ２カ所で対抗して曲げて広がり部を設け、図１１（ｃ）の実施の形態では、２本の芯材３１を、それぞれ中央の１カ所で対抗して曲げて広がり部を設け、図１１（ｄ）の実施の形態では、２本の芯材３１を、それぞれ先端の１カ所で対抗して曲げて広がり部を設けている。
【００５７】
（使用時のしごき）
この実施の形態の液塗布具１の使用時のしごきを、図１２に基づいて説明する。使用時には、塗布液容器１０から容器キャップ２０を取り外し、塗布ブラシ３０を塗布液に浸して塗布液容器１０から外部に取り出す。このときに、塗布ブラシ３０のブラシ毛材３２に付着した余分な塗布液を、しごき部材１３のしごき部１３ｂによりしごき落とし、まつ毛にもったりと付着するような濃い塗布状態で塗布できる（図１２（ａ））。
【００５８】
このしごき部材１３のしごき部１３ｂによりしごき落としの際に、塗布ブラシ３０の芯材３１の先端を折り返して引掛け部３１ａとしたことで、引掛け部３１ａはしごき部１３ｂをしごきにより反転する（図１２（ｂ））。反転する前は、しごきの幅Ｄ１であるが（図１２（ａ））、反転することでしごきの幅Ｄ２になる。    
【００５９】
このように、しごきの幅Ｄ１からしごきの幅Ｄ２になり、しごきの幅が狭まることで、塗布ブラシ３０の先端に加算されることなく、余分な塗布液をしごき落とすことができる。したがって、しごきで適量の塗布液が塗布ブラシ内に残っているものの逆にしごき液が塗布ブラシの先端に加算されていると求める量の塗布液より多くなりダマ束の大小がまつ毛に発生して大変汚い現象となるなどの問題が解消される。
【００６０】
また、しごき落としが終了すると、引掛け部３１ａが通過すると反転したしごき部１３ｂは元の形状に復帰し、これによりしごき落とした余分な塗布液がしごき部１３ｂにたまることなく、塗布液容器１０の内部に戻すことができ、塗布液がしごき部１３ｂに付着して汚れることが軽減される（図１２（ｃ））。
【産業上の利用可能性】
【００６１】
この発明は、特にマスカラブラシや毛染め用ブラシのように塗布対象毛にマスカラや毛染め液などの塗布液を塗布する液塗布具に適用可能であり、塗布ブラシに付着する余分な塗布液をしごき落とすことが可能で、かつしごき部材に残る塗布液の漏れを防止することができる。
【符号の説明】
【００６２】
１  液塗布具
１０  塗布液容器
１１  開口部
１２  ベースリング
１２ａ  突出部
１３  しごき部材
１３ａ  しごき孔
１３ｂ  しごき部
１４  取付ネジ
２０  容器キャップ
２１  開口部
２２  取付ネジ
２３  鍔リング
３０  塗布ブラシ
３１  芯材
３１ａ  引掛け部
３２  ブラシ毛材
４０  ブラシシャフト
４１  取付シャフト
４２  パッキン
【図１】
2019150341.tif 000003
【図２】
2019150341.tif 000004
【図３】
2019150341.tif 000005
【図４】
2019150341.tif 000006
【図５】
2019150341.tif 000007
【図６】
2019150341.tif 000008
【図７】
2019150341.tif 000009
【図８】
2019150341.tif 000010
【図９】
2019150341.tif 000011
【図１０】
2019150341.tif 000012
【図１１】
2019150341.tif 000013
【図１２】
2019150341.tif 000014
【図１３】
2019150341.tif 000015